(57)【要約】【課題】大容量のデータの送受信を行うと共に、消費電力の低減を図る。【解決手段】ＩＤタグ１は、携帯端末６のＩＤを受信するアンテナ２１、ＩＤを記憶しているメモリ２２、ＩＤ照合回路２３を有したＲＦＩＤ回路２と、バッテリ４と、ＩＤ照合結果によりオン／オフするスイッチ５と、携帯端末からのデータを記憶する大容量メモリ３２、携帯端末６との間でデータ送受信を行う無線送受信回路３３、受信データの記憶処理／記憶データの送信処理を行うと共に、処理終了するとスイッチ５をオフにするＣＰＵ３１からなるデータ回路３を備え、携帯端末６は、ＲＦＩＤ回路２に携帯端末６のＩＤを送信するＲＦＩＤリーダ・ライタ６３と、データ回路３との間でデータ送受信を行う無線送受信回路６５と、データを記憶するメモリ６２と、記憶データの送信処理／受信データの記憶処理を行うＣＰＵ６１を備える。【選択図】図１
2007193566.tif 000002
【特許請求の範囲】
【請求項１】
ＩＤタグと携帯端末の間において、無線によりデータの送受信を行うＲＦＩＤシステムであって、
上記ＩＤタグは、
外部の携帯端末から送信される携帯端末に固有のＩＤを受信するＲＦＩＤ用アンテナ、上記携帯端末を特定するためのＩＤを予め記憶しているＲＦＩＤ用メモリ、上記ＲＦＩＤ用アンテナが受信するＩＤと上記ＲＦＩＤ用メモリに予め記憶されているＩＤを照合するＩＤ照合回路を有したＲＦＩＤ回路と、
バッテリと、
上記ＩＤ照合回路の照合結果に基づいて、オン／オフ制御されるスイッチと、
上記スイッチを介して上記バッテリから電源が供給されるデータ回路であり、上記携帯端末から送信されるデータを記憶する大容量メモリ、アンテナを介して上記携帯端末の間で無線によりデータの送受信を行う無線送受信回路、上記携帯端末から受信したデータを上記大容量メモリへ記憶する処理あるいは上記大容量メモリに記憶されているデータを上記携帯端末に送信する処理を行うと共に、データ処理が終了すると上記スイッチをオフにするＣＰＵを有したデータ回路とを備えており、
上記携帯端末は、
電波によって上記ＩＤタグのＲＦＩＤ回路に電源を供給すると共に、上記ＲＦＩＤ回路に上記携帯端末に固有のＩＤを送信するＲＦＩＤリーダ・ライタと、
アンテナを介して上記データ回路との間でデータの送受信を行う携帯端末用無線送受信回路と、
データを記憶するための携帯端末用メモリと、
上記携帯端末用メモリに記憶しているデータを上記データ回路へ送信する処理あるいは上記データ回路から受信するデータを上記携帯端末用メモリに記憶する処理を行う携帯端末用ＣＰＵとを備えていることを特徴とするＲＦＩＤシステム。
【請求項２】
上記ＩＤタグ内のデータ回路に外部の設備・機器の情報を取得するためのセンサを設け、必要に応じて上記設備・機器の情報を収集できるようにしたことを特徴とする請求項１に記載のＲＦＩＤシステム。
【請求項３】
上記データ回路に光源を取り付ける共に、上記携帯端末に撮影装置を取り付け、外部の設備・機器の以前の撮影画像と最新の撮影画像との比較を行えるようにしたことを特徴とする請求項１に記載のＲＦＩＤシステム。
【請求項４】
上記データ回路に熱源を取り付ける共に、上記携帯端末に熱画像撮影装置を取り付け、外部の設備・機器の特定部位の熱画像を取得できるようにしたことを特徴とする請求項１に記載のＲＦＩＤシステム。
【請求項５】
上記データ回路は、更にタイマを備え、定期的に上記センサにより外部の設備・機器の情報を取得できるようにしたことを特徴とする請求項２に記載のＲＦＩＤシステム。
【発明の詳細な説明】
【技術分野】
【０００１】
本発明は、ＲＦＩＤ（RadioFrequency Identification）装置であるＩＤタグと携帯端末との間において、無線により大容量のデータの送受信を行えるＲＦＩＤシステムに関するものである。
【背景技術】
【０００２】
ＲＦＩＤ装置とは、個を特定するＩＤ（識別情報）を内蔵したメモリと、外部からの特定周波数の電波によって電力を生じさせたり、外部とのデータの授受をしたりするためのアンテナとからなるＩＤタグと、特定の周波数を発信し、データを授受するＲＦＩＤリーダからなる。
中にはＩＤタグに記入できる領域を含むメモリを持っており、書き込み機能のあるＲＦＩＤリーダ・ライタからなるＲＦＩＤ装置もある。
更に、ＩＤタグにバッテリを保有し、ＲＦＩＤリーダもしくはＲＦＩＤリーダ・ライタからの電波を受けること無く、ＩＤタグから電波を発信する機能を持ったものがある。
その中でも、例えば、特許文献１にあるように、従来のＲＦＩＤ装置の中には、温度や圧力、タイヤの回転を測定する温度センサ・圧力センサ・タイヤ回転センサなどを持ち、ＩＤタグに内蔵されたバッテリから電源が供給され、ＲＦＩＤリーダもしくはＲＦＩＤリーダ・ライタからの電波により電源が投入されるようにしているものもある。
【特許文献１】特表平９−５０９４８８号公報（図４、図５、２２頁５行〜２５行）
【発明の開示】
【発明が解決しようとする課題】
【０００３】
従来のＲＦＩＤ装置は、以上のように構成されているので、データの読み取りもしくは書き込み時には、ＲＦＩＤリーダ・ライタをＩＤタグに接近させておく必要がある。
このとき、読み取りもしくは書き込みのデータ量が多いと、ＲＦＩＤリーダ・ライタをＩＤタグに長時間近接させておかなければならない問題点があった。
更に、センサ等が付いているＩＤタグでは、センシングしてデータを取得し、データをＲＦＩＤリーダ・ライタが読み取るまでの時間、ＲＦＩＤリーダ・ライタを近接させておかねばならず、作業性に問題があった。
また、外部の携帯端末などから送信される大容量のデータをＩＤタグのメモリに記録したり、あるいはＩＤタグのメモリに記憶されている大容量のデータを外部の携帯端末などに送信するためのデータ回路をＩＤタグが備えている場合、このようなデータ回路は消費電力が大きいので、バッテリの電力が早く消耗し、バッテリ交換の頻度が高くなるという問題もある。
【０００４】
この発明は、上記のような課題を解決するためになされたものであり、ＲＦＩＤリーダ・ライタを搭載した携帯端末をＩＤタグに常に（または長時間）接近させておく必要がなく、ＩＤタグと携帯端末との間において無線によって大容量のデータの送受信を行えると共に、外部の携帯端末などとの間で大容量のデータを送受信するためのデータ回路の動作が不必要なときには、バッテリからデータ回路への電源供給を停止させることができるＲＦＩＤシステムを提供することを目的とする。
【課題を解決するための手段】
【０００５】
この発明に係わるＲＦＩＤシステムは、ＩＤタグと携帯端末の間において、無線によりデータの送受信を行うＲＦＩＤシステムであって、
上記ＩＤタグは、外部の携帯端末から送信される上記携帯端末に固有のＩＤを受信するＲＦＩＤ用アンテナ、上記携帯端末を特定するためのＩＤを予め記憶しているＲＦＩＤ用メモリ、上記ＲＦＩＤ用アンテナが受信するＩＤと上記ＲＦＩＤ用メモリに予め記憶されているＩＤを照合するＩＤ照合回路を有したＲＦＩＤ回路と、バッテリと、上記ＩＤ照合回路の照合結果に基づいて、オン／オフ制御されるスイッチと、上記スイッチを介して上記バッテリから電源が供給されるデータ回路であり、上記携帯端末から送信されるデータを記憶する大容量メモリ、アンテナを介して上記携帯端末との間で無線によりデータの送受信を行う無線送受信回路、上記携帯端末から受信したデータを上記大容量メモリへ記憶する処理あるいは上記大容量メモリに記憶されているデータを上記携帯端末に送信する処理を行うと共に、データ処理が終了すると上記スイッチをオフにするＣＰＵを有したデータ回路とを備えており、
上記携帯端末は、電波によって上記ＩＤタグのＲＦＩＤ回路に電源を供給すると共に、上記ＲＦＩＤ回路に上記携帯端末に固有のＩＤを送信するＲＦＩＤリーダ・ライタと、
アンテナを介して上記データ回路との間でデータの送受信を行う携帯端末用無線送受信回路と、データを記憶するための携帯端末用メモリと、上記携帯端末用メモリに記憶しているデータを上記データ回路へ送信する処理あるいは上記データ回路から受信するデータを上記携帯端末用メモリに記憶する処理を行う携帯端末用ＣＰＵとを備えている。
【発明の効果】
【０００６】
この発明によれば、ＩＤタグと携帯端末との間において、無線により大容量のデータの送受信を行えるので、ＲＦＩＤリーダ・ライタを搭載した携帯端末をＩＤタグに常に接近させておく必要がなく、更に、携帯端末との間で大容量のデータを送受信するためのデータ回路の動作が不必要なときは、バッテリからデータ回路への電源供給を停止させることができるＲＦＩＤシステムを提供することを目的とする。
【発明を実施するための最良の形態】
【０００７】
以下、図面に基づいて、本発明の一実施の形態について説明する。
なお、各図間において、同一符合は、同一あるいは相当のものであることを表す。
実施の形態１．
図１は、この発明の実施の形態１に係わるＲＦＩＤシステムの構成を示す図である。
図に示すように、本実施の形態によるＲＦＩＤシステムは、ＩＤタグ１と携帯端末６とで構成される。
ＩＤタグ１は、ＲＦＩＤ回路２、データ回路３、バッテリ４およびスイッチ５とで構成されている。
なお、ＩＤタグ１は一般的には札状のものであるが、大容量のバッテリを搭載するために装置状（箱体状）のものを採用する場合もあり、本発明においては、「ＩＤタグ」は札状および装置状のいずれの場合の形状も含むものとする。
ＲＦＩＤ回路２は、アンテナ（ＲＦＩＤ用アンテナ）２１、メモリ（ＲＦＩＤ用メモリ）２２およびＩＤ照合回路２３で構成されている。
ここで、アンテナ２１は、外部（例えば、携帯端末）から特定の周波数の電波を受けて電力を生じさせてＲＦＩＤ回路２に電源を供給すると共に、携帯端末６との間でデータの授受を行うためのものである。
また、メモリ２２は、固有のＩＤ（例えば、特定の携帯端末を認識するためのＩＤ）およびある程度の量のデータを記憶するものであって、ＲＯＭあるいはフラッシュメモリもしくはそれらの組合せでできている。
【０００８】
ＩＤ照合回路２３は、ＲＦＩＤ用アンテナ２１が外部の携帯端末６から受信するＩＤとＲＦＩＤ用メモリ２２に予め記憶されているＩＤを照合する。
スイッチ５はＩＤ照合回路２３の照合結果に基づいてオン／オフされるものであって、携帯端末６から受信するＩＤとメモリ２２に予め記憶されているＩＤとが一致するとＩＤ照合回路２３が判定すると、スイッチ５はＩＤ照合回路２３によってオンされ、バッテリ4からデータ回路３への電源供給が制御される。
また、スイッチ５は、後述するように、ＣＰＵ３１からの指示によってもオン／オフ制御される。
なお、図1では、スイッチ５は個別のメカ構造のものが示されているが、ＦＥＴなどの半導体素子であってもよいことは言うまでもない。
また、ＩＤ照合回路２３などの回路と一体的に形成されていてもよい。
【０００９】
データ回路３は、携帯端末６から送信されるデータを記憶する大容量メモリ３２、無線用アンテナ３４を介して携帯端末６との間で無線によりデータの送受信を行う無線送受信回路３３、携帯端末６から無線送受信回路３３が受信する受信データを大容量メモリ３２へ記憶する処理あるいは大容量メモリ３２に記憶されているデータを無線送受信回路３３によって携帯端末６に送信する処理を行うと共に、これらのデータ処理が終了するとスイッチ５をオフにするＣＰＵ３１を有している。
なお、ＩＤタグ１のデータ回路３と携帯端末６との間のデータの送受信は、例えば携帯電話、ＰＨＳ、無線ＬＡＮ、Ｂｌｕｅｔｏｏｔｈ、ＺｉｇＢｅｅ、ＵＷＢ、微弱電波などの無線通信により行われる。
【００１０】
図２は、本実施の形態によるＲＦＩＤシステムの動作を説明するためのフローチャートである。
図２に基づいて、本実施の形態によるＲＦＩＤシステムの動作を具体的に説明する。
ＩＤタグ１は、主に作業員の手から離れたところにあり、具体的には工場内の現場に設置してあるポンプなどの機器・設備などに貼り付けられている。
当然ながら工場以外の事務所・店舗・病院などでも、現場の設備に大容量のデータを保持させたい場合には使用できる。
作業員が、現場のポンプの情報を、読み取りあるいは書き込みする必要のある場合は、まず、所持している携帯端末６のＲＦＩＤリーダ・ライタ６３およびそのアンテナ６４の部分をタグ１のＲＦＩＤ回路２のＲＦＩＤ用アンテナ２１に近づけ、ＲＦＩＤ用アンテナ２１を励磁する。（ステップＳ１０１）
【００１１】
ＲＦＩＤ用アンテナ２１の励磁により、ＲＦＩＤ用メモリ２２およびＩＤ照合回路２３を含むＲＦＩＤ回路２に電流が流れ、ＲＦＩＤ用メモリ２２内に記憶されているＩＤと携帯端末６のメモリ６２内に記憶されているＩＤとの照合が行われる。（ステップＳ１０２）
ＩＤ照合回路２３による照合結果（ステップＳ１０３）により、携帯端末６から送られてきたＩＤとＲＦＩＤ用メモリ２２内に記憶されているＩＤとが一致しないと判定した場合は、ＩＤが異なることを携帯端末６上に表示する。（ステップＳ１０４）
また、ＩＤ照合回路２３による照合結果により、携帯端末６から送られてきたＩＤとＲＦＩＤ用メモリ２２内に記憶されているＩＤとが一致すると判定した場合は、ＩＤ照合回路２３はスイッチ５をオンさせ、バッテリ４からデータ回路３に電源を供給し、データ回路３を動作させる。（ステップＳ１０５）
【００１２】
データ回路３が動作すると、携帯端末６の無線送受信回路６５およびアンテナ６６と、ＩＤタグ１のデータ回路３内の無線送受信回路３３とアンテナ３４の間で無線通信回路が確立され、必要なデータの授受（送受信）がおこなわれる。（ステップＳ１０６）
そして、授受したデータが、データ回路３の大容量メモリ３２あるいは携帯端末６のメモリ６２に記憶される。
即ち、必要なデータが、データ回路３の大容量メモリ３２と携帯端末６のメモリ６２間で授受（送受信）される。（ステップＳ１０７）
データの授受が完了すると、ＣＰＵ３１によりバッテリ４とデータ回路３との間のスイッチ５が切断される。（ステップＳ１０８）
なお、ＩＤ照合回路２３の照合結果によって、携帯端末６から送られてきたＩＤとＲＦＩＤ用メモリ２２内に記憶されているＩＤとが一致しないと判定した場合は、データ回路３を動作させる必要がなく、スイッチ５はオフのままであり、データ回路３は動作しない。
【００１３】
次に、本実施の形態１によるＲＦＩＤシステムの効果について説明する。
一般的に、ＲＦＩＤタグには、データを外部から書き込むことができるものが存在するが、そのためにＲＦＩＤタグが保持しているメモリの容量は、数ｋｂｙｔｅ以下と非常に小さく、また、リーダ・ライタとＲＦＩＤタグとの通信速度も遅い。
従って、例えば、設備の仕様や画像・映像などの大容量を有する情報をＲＦＩＤタグに書き込むことは非常に困難である。
しかし、本実施の形態１によるＲＦＩＤシステムでは、データ回路３内に大容量メモリ３２と、高速通信が可能な無線送受信回路３３およびアンテナ３４を所持しておき、更に携帯端末６側にも、ＲＦＩＤリーダ・ライタ６３とは別に無線送受信回路６５とそのアンテナ６６を所持することにより、大容量のデータをＩＤタグ１内に保存できるようにすると共に、携帯端末６との間で高速通信ができるようにしている。
【００１４】
更に、大容量のデータ通信をする場合には、はじめにＲＦＩＤで認証した後、時間のかかるデータ通信時には、無線を使うことによりある程度距離が離れていても通信できるようにしている。
更に、データ回路３はＲＦＩＤ回路２と比較して消費電力が大きいため、非動作中（即ち、動作を必要としないとき）は電源をオフにしておき、動作時のみ電源を投入するようにし、不要になったときには自動で電源が切断されるようにしておくことにより、長期間のバッテリ交換不要で連続動作させることができるようにしている。
また、携帯端末６から送られてきたＩＤとＲＦＩＤ用メモリ２２に記憶されているＩＤが異なるＩＤであり、ＩＤ照合回路２３においてこれらのＩＤが一致せず、ＩＤの照合が成立しない場合には、スイッチ５は投入されず、バッテリ４が消費されないので、無駄な電力を消費することが無い。
【００１５】
以上説明したように、本実施の形態によるＲＦＩＤシステムは、ＩＤタグ１と携帯端末６の間において、無線によりデータの送受信を行うＲＦＩＤシステムであって、
ＩＤタグ１は、外部の携帯端末６から送信される携帯端末６に固有のＩＤを受信するＲＦＩＤ用アンテナ２１、携帯端末６を特定するためのＩＤを予め記憶しているＲＦＩＤ用メモリ２２、ＲＦＩＤ用アンテナ２１が受信するＩＤとＲＦＩＤ用メモリ２２に予め記憶されているＩＤを照合するＩＤ照合回路２３を有したＲＦＩＤ回路と、バッテリ４と、ＩＤ照合回路２３の照合結果に基づいて、オン／オフ制御されるスイッチ５と、スイッチ５を介してバッテリ４から電源が供給されるデータ回路であり、携帯端末６から送信されるデータを記憶する大容量メモリ３２、アンテナ３４を介して携帯端末６との間で無線によりデータの送受信を行う無線送受信回路３３、携帯端末６から受信したデータを大容量メモリ３２へ記憶する処理あるいは大容量メモリ３２に記憶されているデータを携帯端末６に送信する処理を行うと共に、データ処理が終了するとスイッチ５をオフにするＣＰＵ３１を有したデータ回路３とを備えている。
【００１６】
また、携帯端末６は、電波によってＩＤタグ１のＲＦＩＤ回路２に電源を供給すると共に、ＲＦＩＤ回路２に携帯端末に固有のＩＤを送信するＲＦＩＤリーダ・ライタ６３と、アンテナ６６を介してデータ回路３との間でデータの送受信を行う携帯端末用無線送受信回路６５と、データを記憶するための携帯端末用メモリ６２と、携帯端末用メモリ６２に記憶しているデータをデータ回路３へ送信する処理あるいはデータ回路３から受信するデータを上記携帯端末用メモリ６２に記憶する処理を行う携帯端末用ＣＰＵ６１とを備えている。
【００１７】
従って、この発明によれば、ＩＤタグと携帯端末との間において、無線により大容量のデータの送受信を行えるので、ＲＦＩＤリーダ・ライタを搭載した携帯端末をＩＤタグに常に接近させておく必要がなく、更に、携帯端末との間で大容量のデータを送受信するためのデータ回路の動作が不必要なとき（例えば、携帯端末との間でＩＤ照合が成立しないとき、あるいは携帯端末との間でのデータの送受信処理が終了したとき）には、バッテリからデータ回路への電源供給を停止させることができる。
【００１８】
実施の形態２．
図３は、この発明の実施の形態２に係わるＲＦＩＤシステムの構成を示す図である。
図において、３ａは本実施の形態におけるデータ回路である。
上述の実施の形態１と異なる点を、図に基づいて説明する。
本実施の形態では、データ回路３ａに、外部の設備・機器などの情報を取得するためのセンサ３５を設置し、ＣＰＵ３１、大容量メモリ３２、無線送受信回路３３と互いに結線している。
なお、センサ３５は、データ回路３ａの内部（即ち、データ回路３ａの基板上）にではなく、データ回路３ａの外部（例えば、ＩＤタグ１の内部にあってデータ回路３ａの外部、またはＩＤタグ１の外周部）に配置されていてもよい。
【００１９】
ＩＤタグ１は、実施の形態１の場合と同様に、現場の設備・機器（例えば、ポンプなど）に設置されており、センサ３５により現場の設備・機器の状態（例えば、温度や振動など）を取得できるようにしてある。
作業員が携帯端末６をＩＤタグ１に近づけると、実施の形態１の場合と同様に、ＩＤの照合が行われ、ＩＤが一致するとデータ回路３ａに電流が流れる。
そして、必要に応じてセンサ３５により現場の設備・機器（例えば、ポンプなど）の情報を取得し、取得した情報は、一旦大容量メモリ３２に保存される。
その後、無線送受信回路３３、アンテナ３４、および携帯端末６の無線送受信回路６５、アンテナ６６を経由して、現場の設備・機器の情報が携帯端末６のメモリ６２に送信される。
【００２０】
このように、本実施の形態によれば、実施の形態１によるＲＦＩＤシステムにおいて、更にＩＤタグ内のデータ回路に外部の設備・機器の情報を取得するためのセンサを設け、必要に応じて上記設備・機器の情報を収集できるようにしているので、実施の形態１の効果に加え、必要なときに自動的に外部の設備・機器の情報収集を行うこともできるＲＦＩＤシステムを実現できる。
【００２１】
実施の形態３．
図４は、この発明の実施の形態３に係わるＲＦＩＤシステムの構成を示す図である。
図において、３ｂは本実施の形態におけるデータ回路であり、６ａは本実施の形態における携帯端末である。
上記実施の形態２では、データ回路３ａにセンサ３５を組み込むことについて述べたが、本実施の形態では、図に示す通り、データ回路３ｂにＬＥＤや電球などの光源３６を追加し、携帯端末６ａに撮影装置であるデジタルカメラ６７を追加している。
そして、携帯端末６ａをＩＤタグ１に近づけることにより光源３６を光らせ、その付近をデジタルカメラ６７で撮影することによって、撮影した写真の場所を特定できるようにするものである。
【００２２】
デジタルカメラ６７で撮影した写真を画像処理して、従来の撮影画像（即ち、以前に撮影した撮影画像）と最新の撮影画像の比較を自動で行うためには、撮影した写真の位置や角度、構図から、特徴のある点を抜き出し、一致する点から２つの写真を合致させることを行うが、この特徴点を光源３６により強制的に作ることにより、容易に写真の合致が可能になる。
なお、撮影前に大容量メモリ３２に保存してある撮影時の諸条件をデジタルカメラ６７に送信することにより、毎回の撮影の条件（しぼりやピント、ＩＳＯなど）を揃えることが可能である。
【００２３】
なお、撮影した写真の場所を特定したり、２つの写真を合致させたりするのは、写真の経年変化をコンピュータで自動処理させるためである。
これにより、設備・機器のある部分の色の変化や、ひび割れの拡大などを自動で判定できるようになる。
現在の写真の撮影場所の特定は、２つの写真のそれぞれの設備・機器の端などを判別し、その部分を合わせる（即ち、エッジ判定）ことにより行う。
この際、特定の色や形を決めておけば、写真の撮影場所特定の処理が簡単になり、精度も上がる。
【００２４】
このように、本実施の形態によれば、実施の形態１によるＲＦＩＤシステムにおいて、更に、データ回路３ｂに光源３６を取り付ける共に、携帯端末６に撮影装置であるデジタルカメラ６７を取り付け、外部の設備・機器の従来の撮影画像（以前に撮影した撮影画像）と最新の撮影画像の比較を行えるようにしているので、実施の形態１の効果に加え、外部の設備・機器の経年変化に伴う異常などを容易に判別することもできる。
【００２５】
実施の形態４．
図５は、この発明の実施の形態４に係わるＲＦＩＤシステムの構成を示す図である。
図において、３ｃは本実施の形態におけるデータ回路であり、６ｂは本実施の形態における携帯端末である。
上記実施の形態３では、光源３６とデジタルカメラ６７を用いていたが、本実施の形態は、光源３６をコイルなどの熱源３７に、デジタルカメラ６７を熱画像装置（即ち、熱画像撮影装置）６８に置き換え、外部の設備・機器の特定部位の熱画像を取得できるようにしたものである。
熱画像装置（熱画像撮影装置）６８の写真は、後の撮影部位の位置特定が困難な場合が多いため、静止画と同時に撮影するなどの処理を行っているが、撮影の前に携帯端末６をＩＤタグ１に近づけ、大容量メモリ３２から撮影時の諸条件を取得するとともに、熱源３７を特定の形状および温度にすることにより、撮影した熱画像写真の所定温度の場所・形状から、撮影した外部の設備・機器の特定部位の位置や角度・構図を容易に判定できる。
【００２６】
例えば、熱源３７として、Ｌ字形で４０℃に熱した抵抗体を用いると、熱画像上で４０℃の色に表示されるＬ字形の部分が現れる。
その位置が、熱画像撮影で対象とする物体（外部の設備・機器など）のどの部分にあるかは予め分かっているので、熱画像を処理する際に必要となる位置特定が容易に行える。
その際に、Ｌ字形の熱画像の各辺の長さから写真（画像）が撮られた角度が分かる。
撮影された熱画像は、一般的には鮮明なものではなく、見ただけでは何を撮影したものかを判別し難い。
これを容易に判別するためには、ＲＦＩＤシステムにより撮影場所の特定を行うことが必要であるが、更に詳細な撮影位置の判別を行うには、特定の温度の部分（例えば、Ｌ字形で４０℃に熱した抵抗体）があれば、撮影場所の特定が容易となる。
【００２７】
このように、本実施の形態によれば、実施の形態１によるＲＦＩＤシステムにおいて、更に、データ回路３ｃに熱源３７を取り付ける共に、携帯端末６ｂに熱画像装置（熱画像撮影装置）６８を取り付け、外部の設備・機器の特定部位の熱画像を取得できるようにしているので、実施の形態１の効果に加え、外部の設備・機器の特定部位の熱画像も容易に取得できる。
【００２８】
実施の形態５．
図６は、この発明の実施の形態４に係わるＲＦＩＤシステムの構成を示す図である。
図において、３ｄは本実施の形態におけるデータ回路である。
前述の実施の形態２では、作業員が携帯端末６をＩＤタグ１に近づけることにより、センサ３５から自動でデータを取得し、取得したデータを携帯端末６に伝送したが、本実施の形態では、データ回路３ｄにボタン型など小型のバッテリを持って連続駆動するタイマ３８を組み込むことによって、定期的にセンサ３５によりデータ取得をすることができるようにしたものである。
【００２９】
通常時は、ＲＦＩＤ回路２およびデータ回路３ｄには電流が流れておらず、スイッチ５もオフの状態にある。
タイマ３８は内部にバッテリを保有しているため、設定した時間が経過すると、スイッチ５をオンの状態にする。
スイッチ５がオンとなり、バッテリ４とデータ回路３ｄが接続され、データ回路３ｄに電源が供給されることにより、センサ３５で情報を取得し、取得した情報を大容量メモリ３２に保存する。
大容量メモリ３２へのデータ保存が終了すると、ＣＰＵ３１からの指示によりスイッチ５をオフの状態にする。
【００３０】
作業員が携帯端末６をＩＤタグ１に近づけると、アンテナ２１に誘導される電力によりＲＦＩＤ回路２に電源が供給され、スイッチ５がオンになり、バッテリ４からデータ回路３ｄに電源が供給される。
データ回路３ｄの無線送受信回路３３およびそのアンテナ３４と、携帯端末６上の無線送受信回路６５とそのアンテナ６６を経由して、大容量メモリ３２に保存されている情報が携帯端末６のメモリ６２に伝送される。
【００３１】
このように、本実施の形態によれば、実施の形態２によるＲＦＩＤシステムにおいて、更に、データ回路３ｄにタイマ３８を備え、定期的にセンサ３５により外部の設備・機器の情報を取得できるようにしているので、実施の形態２の効果に加えて、携帯端末６から定期的に外部の設備・機器のデータ（情報）を収集することが可能になり、収集したデータを大容量メモリ３２に自動的に保存することもできる。
【産業上の利用可能性】
【００３２】
この発明は、ＩＤタグとＲＦＩＤリーダ・ライタを搭載した携帯端末との間において、無線により大容量のデータの送受信を行え、携帯端末をＩＤタグに常に接近させておく必要がなく、更に、消費電力の低減が図れるＲＦＩＤシステムの実現に有用である。
【図面の簡単な説明】
【００３３】
【図１】実施の形態１に係わるＲＦＩＤシステムの構成を示す図である。
【図２】実施の形態１に係わるＲＦＩＤシステムの動作を説明するためのフローチャートである。
【図３】実施の形態２に係わるＲＦＩＤシステムの構成を示す図である。
【図４】実施の形態３に係わるＲＦＩＤシステムの構成を示す図である。
【図５】実施の形態４に係わるＲＦＩＤシステムの構成を示す図である。
【図６】実施の形態５に係わるＲＦＩＤシステムの構成を示す図である。
【符号の説明】
【００３４】
１  ＩＤタグ                      ２  ＲＦＩＤ回路
２１  ＲＦＩＤ用アンテナ          ２２  ＲＦＩＤ用メモリ
２３  ＩＤ照合回路
３、３ａ、３ｂ、３ｃ、３ｄ  データ回路
３１  ＣＰＵ                      ３２  大容量メモリ
３３  無線送受信回路              ３４  アンテナ
３５  センサ                        ３６  光源
３７  熱源                          ３８  タイマ
４  バッテリ
５  スイッチ
６、６ａ、６ｂ  携帯端末
６１  携帯端末用ＣＰＵ              ６２  携帯端末用メモリ
６３  ＲＦＩＤリーダ・ライタ        ６４  ＲＦＩＤリーダ・ライタ用アンテナ
６５  無線送受信回路
６６  無線用アンテナ
６７  デジタルカメラ（撮影装置）
６８  熱画像撮影装置
【図１】
2007193566.tif 000003
【図２】
2007193566.tif 000004
【図３】
2007193566.tif 000005
【図４】
2007193566.tif 000006
【図５】
2007193566.tif 000007
【図６】
2007193566.tif 000008